(57)【要約】  本発明によれば、消費する電力量、消費する時間帯及び電力販売価格Ｐを指定した電力消費依頼を取得する依頼取得部（１２）と、複数の電力需要家各々に電力を販売する電力小売事業者の時間帯毎の電力販売価格、及び、複数の電力需要家各々の蓄電システムの仕様情報を含む需要家情報を取得する需要家情報取得部（１１）と、需要家情報及び電力消費依頼に基づき、各電力需要家の蓄電システムの充放電スケジュールを決定する決定部（１３）と、を有する電力管理装置（1０）が提供される。
2018105154.tif 000002
【特許請求の範囲】
【請求項１】
消費する電力量、消費する時間帯及び電力販売価格Ｐを指定した電力消費依頼を取得する依頼取得手段と、
複数の電力需要家各々に電力を販売する電力小売事業者の時間帯毎の電力販売価格、及び、複数の電力需要家各々の蓄電システムの仕様情報を含む需要家情報を取得する需要家情報取得手段と、
前記需要家情報及び前記電力消費依頼に基づき、各電力需要家の蓄電システムの充放電スケジュールを決定する決定手段と、
を有する電力管理装置。
【請求項２】
請求項１に記載の電力管理装置において、
前記需要家情報取得手段は、前記時間帯毎の電力販売価格として、第１の時間帯の電力販売価格Ｑ１及び第２の時間帯の電力販売価格Ｑ２を取得し、Ｑ１＞Ｑ２であり、
前記決定手段は、「条件１：Ｑ２＞Ｐ」を満たす電力需要家を、前記電力消費依頼に応じて電力を消費させる電力需要家として決定する電力管理装置。
【請求項３】
請求項２に記載の電力管理装置において、
前記需要家情報取得手段は、Ｑ２との価格差Ｒ１（Ｒ１≧０）を指定した参加条件を電力需要家毎に取得し、
前記決定手段は、「条件１´：Ｑ２−Ｒ１＞Ｐ」を満たす電力需要家を、前記電力消費依頼に応じて電力を消費させる電力需要家として決定する電力管理装置。
【請求項４】
請求項２又は３に記載の電力管理装置において、
蓄電システムの定格出力と、前記電力消費依頼で指定された時間帯の時間幅との積をＸ、電力需要家から提供された蓄電システムの容量をＳとすると、
前記決定手段は、前記条件１又は条件１´を満たす電力需要家の蓄電システムに充電させる電力量Ａとして、Ｓ及びＸの小さい方を決定する電力管理装置。
【請求項５】
請求項４に記載の電力管理装置において、
前記電力消費依頼で指定された時間帯における電力需要家の需要電力量の予測をｄ１とすると、
前記決定手段は、前記条件１又は条件１´を満たす電力需要家に消費させる電力量として、Ａとｄ１との和を決定する電力管理装置。
【請求項６】
請求項４又は５に記載の電力管理装置において、
前記決定手段は、前記条件１又は条件１´を満たす電力需要家の蓄電システムの充放電スケジュールとして、前記電力消費依頼で指定された時間帯の開始タイミングまでに、少なくともＡを確保させる充放電スケジュールを決定する電力管理装置。
【請求項７】
請求項６に記載の電力管理装置において、
前記電力消費依頼で指定された時間帯は前記第１の時間帯に含まれ、
前記第１の時間帯の開始タイミングから前記電力消費依頼で指定された時間帯の開始タイミングまでにおける電力需要家の需要電力量の予測をｄ２とすると、
前記決定手段は、前記条件１又は条件１´を満たす電力需要家の蓄電システムの充放電スケジュールとして、
ｄ２≧Ａの場合、前記第１の時間帯の開始タイミングにおいて蓄電システムに上限まで充電させ、
Ａ＞ｄ２の場合、前記第１の時間帯の開始タイミングにおいて蓄電システムに少なくともＡ−ｄ２の空きを確保させる充放電スケジュールを決定する電力管理装置。
【請求項８】
請求項１から７のいずれか１項に記載の電力管理装置において、
前記需要家情報取得手段は、前記時間帯毎の電力販売価格として、第１の時間帯の電力販売価格Ｑ１及び第２の時間帯の電力販売価格Ｑ２を取得し、Ｑ１＞Ｑ２であり、
蓄電システムの定格容量をＣ、前記第１の時間帯における電力需要家の需要電力量の予測をＤとすると、
前記決定手段は、「条件２：Ｑ１＞Ｐ≧Ｑ２、かつ、Ｄ＞Ｃ」を満たす電力需要家を、前記電力消費依頼に応じて電力を消費させる電力需要家として決定する電力管理装置。
【請求項９】
請求項８に記載の電力管理装置において、
前記需要家情報取得手段は、Ｑ１との価格差Ｒ２（Ｒ２≧０）を指定した参加条件を電力需要家毎に取得し、
前記決定手段は、「条件２´：Ｑ１−Ｒ２＞Ｐ≧Ｑ２、かつ、Ｄ＞Ｃ」を満たす電力需要家を、前記電力消費依頼に応じて電力を消費させる電力需要家として決定する電力管理装置。
【請求項１０】
請求項８又は９に記載の電力管理装置において、
前記電力消費依頼で指定された時間帯は前記第１の時間帯に含まれ、
前記電力消費依頼で指定された時間帯における電力需要家の需要電力量の予測をｄ１、
前記第１の時間帯の開始タイミングから前記電力消費依頼で指定された時間帯の開始タイミングまでにおける電力需要家の需要電力量の予測をｄ２、
前記電力消費依頼で指定された時間帯の終了タイミングから前記第１の時間帯の終了タイミングまでにおける電力需要家の需要電力量の予測をｄ３、
前記電力消費依頼で指定された時間帯の開始タイミングにおける蓄電システムの充電電力量をＭ、
蓄電システムの定格出力と、前記電力消費依頼で指定された時間帯の時間幅との積をＸ、
電力需要家から提供された蓄電システムの容量をＳ、
とすると、
前記決定手段は、
前記第１の時間帯の開始タイミングにおいて、蓄電システムに上限まで充電させる充放電スケジュールを決定し、
Ｍ＝０の場合、ｄ１＋ｄ３、ｄ１＋Ｓ、及び、ｄ１＋Ｘの中の最も小さい電力量を、
Ｍ＝Ｃ−ｄ２（なお、Ｃ＞ｄ２）、かつ、Ｍ＞ｄ３の場合、Ｄ−Ｃを、
Ｍ＝Ｃ−ｄ２（なお、Ｃ＞ｄ２）、かつ、ｄ３≧Ｍの場合、Ｄ−Ｃ、ｄ１＋ｄ２、及び、ｄ１＋Ｘの中の最も小さい電力量を、
前記条件２又は条件２´を満たす電力需要家に消費させる電力として決定する電力管理装置。
【請求項１１】
請求項１０に記載の電力管理装置において、
前記決定手段は、
Ｍ＝０の場合、前記条件２又は条件２´を満たす電力需要家の蓄電システムに、ｄ３、Ｓ、及び、Ｘの中の最も小さい電力量を前記電力消費依頼で指定された時間帯に充電させる充放電スケジュールを決定する電力管理装置。
【請求項１２】
請求項１０又は１１に記載の電力管理装置において、
前記決定手段は、
Ｍ＝Ｃ−ｄ２、かつ、Ｍ＞ｄ３の場合、前記条件２又は条件２´を満たす電力需要家の蓄電システムに、（Ｃ−ｄ２）−ｄ３を前記電力消費依頼で指定された時間帯に放電させる充放電スケジュールを決定する電力管理装置。
【請求項１３】
請求項１０から１２のいずれか１項に記載の電力管理装置において、
前記決定手段は、
Ｍ＝Ｃ−ｄ２、かつ、ｄ３≧Ｍの場合、前記条件２又は条件２´を満たす電力需要家の蓄電システムに、ｄ３−（Ｃ−ｄ２）、ｄ２、及び、Ｘの中の最も小さい電力量を前記電力消費依頼で指定された時間帯に充電させる充放電スケジュールを決定する電力管理装置。
【請求項１４】
請求項１０から１３のいずれか１項に記載の電力管理装置において、
前記決定手段は、前記条件２又は条件２´を満たす電力需要家の蓄電システムの充放電スケジュールとして、前記電力消費依頼で指定された時間帯の終了タイミングで前記蓄電システムの充電電力量をＣ及びｄ３の小さい方とする充放電スケジュールを決定する電力管理装置。
【請求項１５】
請求項１から１４のいずれか１項に記載の電力管理装置において、
前記決定手段は、前記電力消費依頼に応じて電力需要家に消費させると決定した電力量の合計が、前記電力消費依頼で指定された電力量に満たない場合、その旨を、前記電力消費依頼の送信元に通知する電力管理装置。
【請求項１６】
請求項１５に記載の電力管理装置において、
前記決定手段は、前記電力消費依頼に応じて電力需要家に消費させると決定した電力量の合計が、前記電力消費依頼で指定された電力量に満たない場合、新たな電力販売価格Ｐを前記送信元に要求する電力管理装置。
【請求項１７】
請求項１５又は１６に記載の電力管理装置において、
前記決定手段は、前記電力消費依頼に応じて電力需要家に消費させると決定した電力量の合計が、前記電力消費依頼で指定された電力量に満たない場合、前記電力消費依頼で指定された電力量を超える電力販売価格Ｐを算出し、前記送信元に通知する電力管理装置。
【請求項１８】
請求項１から１７のいずれか１項に記載の電力管理装置と、
前記電力管理装置からの指示に基づき動作する蓄電システムと、
を有する電力管理システム。
【請求項１９】
コンピュータが、
消費する電力量、消費する時間帯及び電力販売価格Ｐを指定した電力消費依頼を取得する依頼取得工程と、
複数の電力需要家各々に電力を販売する電力小売事業者の時間帯毎の電力販売価格、及び、複数の電力需要家各々の蓄電システムの仕様情報を含む需要家情報を取得する需要家情報取得工程と、
前記需要家情報及び前記電力消費依頼に基づき、各電力需要家の蓄電システムの充放電スケジュールを決定する決定工程と、
を実行する電力管理方法。
【請求項２０】
コンピュータを、
消費する電力量、消費する時間帯及び電力販売価格Ｐを指定した電力消費依頼を取得する依頼取得手段、
複数の電力需要家各々に電力を販売する電力小売事業者の時間帯毎の電力販売価格、及び、複数の電力需要家各々の蓄電システムの仕様情報を含む需要家情報を取得する需要家情報取得手段、
前記需要家情報及び前記電力消費依頼に基づき、各電力需要家の蓄電システムの充放電スケジュールを決定する決定手段、
として機能させるプログラム。
【発明の詳細な説明】
【技術分野】
【０００１】
本発明は、電力管理装置、電力管理システム、電力管理方法、及び、プログラムに関する。
【背景技術】
【０００２】
特許文献１には、発電事業者の余剰電力を電気事業者が購入し、その購入電力を送電網により発電事業者から電力使用者へ直接的に供給する余剰電力管理システムが開示されている。余剰電力管理システムは、電力使用者の電力需要を推定する推定手段と、推定された電力需要に相当する電力を発電事業者から送電網に送出させるための発電計画を決定する決定手段と、決定された発電計画を発電事業者に通知する通知手段とを有する。【０００３】
ところで、電力の需給バランス調整のため、送電網を管理する送配電事業者から発電事業者に電力の出力抑制指令が通知される場合がある。そこで、出力抑制された電力量分を電力需要家に消費してもらうことで、出力抑制を回避する手段が検討されている。【０００４】
例えば、発電事業者からの電力消費依頼に応じて電力需要家サイドの装置等を制御し、発電事業者からの依頼分の電力を消費させる（例：電力需要家の蓄電システムに所定量の電力を充電させる）。
【先行技術文献】
【特許文献】
【０００５】
【特許文献１】特開２００２−２７１９８２号公報
【発明の概要】
【発明が解決しようとする課題】
【０００６】
発電事業者からの依頼に応じて電力を消費することによるメリットが小さいと、当該サービスに参加する電力需要家を十分に確保できない。そのため、発電事業者からの電力消費依頼に応じて電力需要家に電力を消費させる際に、電力需要家サイドの制御内容を適切に決定することができないという問題があった。
【課題を解決するための手段】
【０００７】
本発明によれば、
消費する電力量、消費する時間帯及び電力販売価格Ｐを指定した電力消費依頼を取得する依頼取得手段と、
複数の電力需要家各々に電力を販売する電力小売事業者の時間帯毎の電力販売価格、及び、複数の電力需要家各々の蓄電システムの仕様情報を含む需要家情報を取得する需要家情報取得手段と、
前記需要家情報及び前記電力消費依頼に基づき、各電力需要家の蓄電システムの充放電スケジュールを決定する決定手段と、
を有する電力管理装置が提供される。【０００８】
また、本発明によれば、前記電力管理装置と、前記電力管理装置からの指示に基づき動作する蓄電システムと、を有する電力管理システムが提供される。【０００９】
また、本発明によれば、
コンピュータが、
消費する電力量、消費する時間帯及び電力販売価格Ｐを指定した電力消費依頼を取得する依頼取得工程と、
複数の電力需要家各々に電力を販売する電力小売事業者の時間帯毎の電力販売価格、及び、複数の電力需要家各々の蓄電システムの仕様情報を含む需要家情報を取得する需要家情報取得工程と、
前記需要家情報及び前記電力消費依頼に基づき、各電力需要家の蓄電システムの充放電スケジュールを決定する決定工程と、
を実行する電力管理方法が提供される。【００１０】
また、本発明によれば、
コンピュータを、
消費する電力量、消費する時間帯及び電力販売価格Ｐを指定した電力消費依頼を取得する依頼取得手段、
複数の電力需要家各々に電力を販売する電力小売事業者の時間帯毎の電力販売価格、及び、複数の電力需要家各々の蓄電システムの仕様情報を含む需要家情報を取得する需要家情報取得手段、
前記需要家情報及び前記電力消費依頼に基づき、各電力需要家の蓄電システムの充放電スケジュールを決定する決定手段、
として機能させるプログラムが提供される。
【発明の効果】
【００１１】
本発明によれば、発電事業者からの電力消費依頼に応じて電力需要家に電力を消費させる技術において、電力需要家サイドの制御内容を適切に決定することが可能となる。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】本実施形態の電力管理システムの機能ブロック図の一例である。
【図２】本実施形態の蓄電システムの機能ブロック図の一例である。
【図３】本実施形態の電力管理装置のハードウエア構成の一例を概念的に示す図である。
【図４】本実施形態の電力管理装置の機能ブロック図の一例である。
【図５】本実施形態の決定部の処理の一例を説明するための図である。
【図６】本実施形態の決定部の処理の一例を説明するための図である。
【図７】本実施形態の決定部の処理の一例を説明するための図である。
【図８】本実施形態の電力管理装置の処理の流れの一例を示すフローチャートである。
【発明を実施するための形態】
【００１４】
図１に、本実施形態の電力管理システムの機能ブロック図の一例を示す。図示するように、電力管理システムは、電力管理装置１０と、複数の蓄電システム２０とを有する。
【００１５】
電力管理装置１０は、発電事業者からの電力消費依頼に応じて電力需要家に電力を消費させるサービスを提供する事業者（以下、「アグリゲータ」）に管理される。蓄電システム２０は電力需要家に管理される。電力管理装置１０と蓄電システム２０とは、インターネット等の通信ネットワークを介して互いに繋がり、互いに情報の送受信を行えるようになっている。
【００１６】
ここで、図２に、蓄電システム２０の構成例を示す。蓄電システム２０は、例えば、システムコントローラー２１と、ＰＣＳ（Power conditioning System）２２と、ＢＭＳ（Battery Management System）２３と、バッテリー２４とを有する。
【００１７】
システムコントローラー２１は、蓄電システム２０の全体を制御する。ＰＣＳ２２は、直流電力／交流電力の変換を行う。バッテリー２４は、電力を貯蔵する。バッテリー２４は、例えば、エネルギーを貯めるセルスタックや、セル温度及びセル電圧等を監視するバッテリモニタ等を含んで構成される。ＢＭＳ２３は、バッテリー２４を制御する。
【００１８】
蓄電システム２０は、電力管理装置１０により充放電を制御される。すなわち、電力管理装置１０は、充放電動作の制御情報（例：充放電スケジュール等）を蓄電システム２０に送信する。蓄電システム２０のＢＭＳ２３は、当該制御情報に従い、バッテリー２４の動作を制御する。なお、蓄電システム２０は、電力管理装置１０により充放電を制御されるが、ＳＯＣ（State Of Charge）、出力、時間帯など電力管理装置１０に制御させてもいい内容を適宜設定できてもよい。
【００１９】
次に、電力管理装置１０を詳細に説明する。まず、本実施形態の電力管理装置１０のハードウエア構成の一例について説明する。本実施形態の電力管理装置１０が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、通信ネットワーク接続用インターフェイスを中心にハードウエアとソフトウエアの任意の組合せによって実現される。そして、その実現方法、装置にはいろいろな変形例があることは、当業者には理解されるところである。
【００２０】
図３は、本実施形態の電力管理装置１０のハードウエア構成を例示するブロック図である。図３に示すように、電力管理装置１０は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００２１】
なお、電力管理装置１０は、物理的及び／又は論理的に一体となった１つの装置により実現されてもよいし、物理的及び／又は論理的に互いに分かれた複数の装置により実現されてもよい。後者の場合、複数の装置各々が、図３に示すようなハードウエア構成を備えてもよい。そして、複数の装置が協働して、監視システムの機能を実現してもよい。
【００２２】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２３】
次に、本実施形態の電力管理装置１０の機能について詳細に説明する。図４に、本実施形態の電力管理装置１０の機能ブロック図の一例を示す。図示するように、電力管理装置１０は、需要家情報取得部１１と、依頼取得部１２と、決定部１３とを有する。
【００２４】
依頼取得部１２は、消費する電力量、消費する時間帯及び電力販売価格Ｐを指定した電力消費依頼を取得する。電力消費依頼は、発電事業者からアグリゲータへの電力の消費依頼である。例えば、依頼取得部１２は、通信ネットワーク経由で、発電事業者の装置から電力消費依頼を受信してもよい。その他、依頼取得部１２は、電力管理装置１０のオペレータが入力装置を介して入力した電力消費依頼を取得してもよい。この場合、電話、メール、ＦＡＸ等の任意の手段で、発電事業者の担当者からアグリゲータの担当者に電力消費依頼が届けられる。
【００２５】
電力消費依頼に含まれる「消費する電力量」は、発電事業者が電力需要家に消費してもらいたい電力量［ｋＷｈ］、又は、電力［ｋＷ］の時間変化である。例えば、発電事業者は、送配電事業者から通知された出力抑制すべき時間帯における自発電装置の発電予測量［ｋＷｈ］、又は、当該値に基づいて算出した値（例：当該値に所定の係数を掛けた値）を、当該消費してもらう電力量とすることができる。その他、発電事業者は、送配電事業者から通知された出力抑制すべき時間帯における自発電装置の発電予測［ｋＷ］の時間変化、又は、発電予測に基づいて算出した値（例：発電予測に所定の係数を掛けた値）の時間変化を、当該消費してもらう電力とすることができる。電力の時間変化の場合、当該時間帯における積分値を、消費してもらう電力量［ｋＷｈ］として算出することができる。
【００２６】
電力消費依頼に含まれる「消費する時間帯」は、発電事業者が電力需要家に電力を消費してもらいたい時間帯である。開始時刻及び終了時刻で指定される（例：１３時〜１５時）。例えば、発電事業者は、送配電事業者から通知された出力抑制すべき時間帯を、当該消費する時間帯とすることができる。
【００２７】
電力消費依頼に含まれる「消費する電力量」は、出力抑制すべき時間帯において出力上限値を超えて発電している余剰の電力量を示す。電力消費依頼に含まれる「消費する電力」は、出力抑制すべき時間帯において出力上限値を超えて発電している余剰の電力を示す。電力消費依頼に含まれる「消費する時間帯」は、出力抑制すべき時間帯において出力上限値を超えて発電している余剰の電力や電力量を消費する時間帯を示す。
【００２８】
電力消費依頼に含まれる「電力販売価格Ｐ」は、電力消費依頼に応じて電力需要家が消費した電力についての発電事業者の売電価格である。発電事業者は、電力消費依頼に応じて電力を消費した電力需要家に、消費した分の電力を、販売価格Ｐで販売することになる。電力販売価格Ｐは、例えば、「円／ｋＷｈ」等のように、単位電力量当たりの価格（単価）として示される。
【００２９】
依頼取得部１２が電力消費依頼を取得するタイミングは設計的事項であるが、例えば、前日に翌日分の電力消費依頼を取得する（例：２０１６年１１月１日に２０１６年１１月２日分の電力消費依頼を取得）。
【００３０】
需要家情報取得部１１は、複数の電力需要家（アグリゲータと契約し、アグリゲータのサービスを受ける複数の電力需要家）各々に対応して、需要家情報を取得する。需要家情報は、複数の電力需要家各々に電力を販売する電力小売事業者の電力販売価格Ｑ、複数の電力需要家各々の電力需要予測、及び、複数の電力需要家各々の蓄電システムの仕様情報を含む。
【００３１】
需要家情報に含まれる「電力販売価格Ｑ」は、各電力需要家が契約している電力小売り事業者の電力販売価格である。電力販売価格Ｑは、例えば、「円／ｋＷｈ」等のように、単位電力量当たりの価格（単価）として示される。電力販売価格Ｑは、時間帯毎に異なる価格であってもよい。需要家情報取得部１１は、例えば、昼間に対応する第１の時間帯の電力販売価格Ｑ１、及び、夜間に対応する第２の時間帯の電力販売価格Ｑ２を、電力需要家毎に取得してもよい。第１の時間帯及び第２の時間帯各々の開始時刻及び終了時刻は設計的事項である。
【００３２】
例えば、電力管理装置１０は、予め、複数の電力需要家各々の申請内容に基づき、各々の電力購入元（電力小売事業者）を各々に対応して登録する。そして、電力管理装置１０は、任意の手段で、複数の電力小売事業者各々の電力販売価格Ｑを取得する。例えば、電力管理装置１０は、複数の電力小売事業者各々のサーバから電力販売価格Ｑを取得してもよいし、電力管理装置１０のオペレータが入力装置を介して入力した複数の電力小売事業者各々の電力販売価格Ｑを取得してもよい。
【００３３】
需要家情報に含まれる「電力需要予測」は、あらゆる技術を採用して算出することができる。本実施形態においては、電力需要予測の算出方法は特段制限されない。例えば、アグリゲータ側の装置が電力需要家各々の電力需要予測を算出してもよいし、電力需要家側の装置が各々に対応した電力需要予測を算出してもよいし、第３者の装置が電力需要家各々の電力需要予測を算出してもよい。需要家情報取得部１１は、任意の装置が算出した電力需要予測を取得する。
【００３４】
例えば、依頼取得部１２が前日に翌日分の電力消費依頼を取得すると、需要家情報取得部１１は当該翌日分の電力需要予測を前日に取得する。すなわち、依頼取得部１２が例えば２０１６年１１月１日に２０１６年１１月２日分の電力消費依頼を取得すると、需要家情報取得部１１は２０１６年１１月１日に２０１６年１１月２日分の電力需要予測を取得する。
【００３５】
需要家情報に含まれる「蓄電システムの仕様情報」は、蓄電システム２０の定格出力［ｋＷ］及び定格容量［ｋＷｈ］を含む。例えば、需要家情報取得部１１は、複数の電力需要家各々の蓄電システム２０から当該仕様情報を取得してもよいし、電力管理装置１０のオペレータが入力装置を介して入力した仕様情報を取得してもよい。
【００３６】
決定部１３は、需要家情報及び電力消費依頼に基づき、当該電力消費依頼に応じて電力を消費させる電力需要家、各電力需要家に消費させる電力量［ｋＷｈ］や電力［ｋＷ］、及び、各電力需要家の蓄電システムの充放電スケジュールを含む制御内容を決定する。
【００３７】
ここで、制御内容を決定する処理を詳細に説明する。
【００３８】
＜処理例１＞
図５を用いて、処理例１を説明する。ここでは、発電事業者の電力販売価格Ｐが、第１の時間帯（７時〜２３時）における電力販売価格Ｑ１と第２の時間帯（２３時〜７時）における電力販売価格Ｑ２よりも安く、「消費する時間帯１１〜１５時」に最大限、蓄電池に充電する場合を示している。なお、図５において示す各時間帯の開始時刻及び終了時刻はあくまで一例であり、これに限定されない。
【００３９】
図５には、電力消費依頼に応じて電力を消費すべき日のタイムスケジュールを示している。ここでは、電力消費依頼で示される「消費する時間帯」を、１１時〜１５時としている。
【００４０】
図示する「通常の電力販売価格」は、各電力需要家が電力小売事業者から電力を購入する際の販売価格を示す。Ｑ１［円／ｋＷｈ］は、第１の時間帯（７時〜２３時）の電力販売価格である。Ｑ２［円／ｋＷｈ］は、第２の時間帯（２３時〜７時）の電力販売価格である。なお、Ｑ１＞Ｑ２の関係となる。
【００４１】
図示する「需要予測」は、各電力需要家の当日の電力需要予測に基づいて算出された各時間帯の需要電力量［ｋＷｈ］の予測を示す。ｄ１［ｋＷｈ］は、電力消費依頼で示される「消費する時間帯（１１時〜１５時）」における需要電力量［ｋＷｈ］の予測を示す。ｄ２［ｋＷｈ］は、第１の時間帯（７時〜２３時）の開始タイミング（７時）から電力消費依頼で示される「消費する時間帯（１１時〜１５時）」の開始タイミング（１１時）までの時間帯における需要電力量［ｋＷｈ］の予測を示す。ｄ３［ｋＷｈ］は、電力消費依頼で示される「消費する時間帯（１１時〜１５時）」の終了タイミング（１５時）から第１の時間帯（７時〜２３時）の終了タイミング（２３時）までの時間帯における需要電力量［ｋＷｈ］の予測を示す。Ｄ［ｋＷｈ］は、第１の時間帯（７時〜２３時）における需要電力量［ｋＷｈ］の予測を示す。
【００４２】
決定部１３は、「条件１：Ｑ２＞Ｐ」を満たす電力需要家を、電力消費依頼に応じて電力を消費させる電力需要家として決定することができる。
【００４３】
なお、需要家情報取得部１１は、需要家情報として、Ｑ２との価格差Ｒ１（Ｒ１≧０）を指定した参加条件を電力需要家毎に取得してもよい。そして、決定部１３は、「条件１´：Ｑ２−Ｒ１＞Ｐ」を満たす電力需要家を、電力消費依頼に応じて電力を消費させる電力需要家として決定してもよい。
【００４４】
条件１（又は条件１´）を満たす場合、すなわち、電力小売事業者から購入するよりも発電事業者から購入した方が安い場合には、電力需要家の利益を考慮すると、電力消費依頼で示される「消費する時間帯（１１時〜１５時）」に最大限、蓄電システム２０に充電することが好ましい。
【００４５】
このため、決定部１３は、「蓄電システム２０の定格出力［ｋＷ］と、電力消費依頼で指定された時間帯の時間幅（図５の例の場合、４時間）との積として算出される電力量Ｘ［ｋＷｈ］」、及び、「電力需要家からアグリゲータのサービス用に提供された蓄電システム２０の容量Ｓ［ｋＷｈ］」の内の小さい方を、電力消費依頼で示される「消費する時間帯（１１時〜１５時）」に電力需要家の蓄電システム２０に充電させる電力量Ａ［ｋＷｈ］として決定することができる。ここで、容量Ｓ［ｋＷｈ］は、蓄電システム２０の定格容量Ｃ［ｋＷｈ］のうちアグリゲータの制御によりサービスに用いられる容量である。容量Ｓ［ｋＷｈ］は、蓄電システム２０の定格容量Ｃ[ｋＷｈ]以下となる。需要家情報取得部１１が需要家情報の一部としてＳ［ｋＷｈ］の値を取得することができる。
【００４６】
そして、決定部１３は、Ａ［ｋＷｈ］とｄ１［ｋＷｈ］との和、又は、当該和に所定の係数を掛けた値を、電力消費依頼で示される「消費する時間帯（１１時〜１５時）」に電力需要家に消費させる電力量［ｋＷｈ］として決定することができる。すなわち、「消費する時間帯（１１時〜１５時）」において、Ａ[ｋｗｈ]を蓄電システム２０に充電させ、ｄ１[ｋｗｈ]を負荷等で消費させると決定する。
【００４７】
次に、蓄電システム２０の充放電スケジュールの決定処理を説明する。決定部１３は、前提として、第２の時間帯（２３時〜７時）に蓄電システム２０に電力を充電し、第１の時間帯（７時〜２３時）に蓄電システム２０から電力を放電して消費する充放電スケジュールを決定する。
【００４８】
そして、条件１（又は条件１´）を満たす電力需要家においては、第１の時間帯（７時〜２３時）であっても電力消費依頼で示される「消費する時間帯（１１時〜１５時）」に充電する充放電スケジュールを決定する。
【００４９】
すなわち、決定部１３は、翌日の第１の時間帯（７時〜２３時）の充放電スケジュールに応じて、当該第１の時間帯（７時〜２３時）の直前の第２の時間帯（２３時〜７時）に充電する電力量を調節して充電する。また、第１の時間帯（７時〜２３時）の中の電力消費依頼で示される「消費する時間帯（１１時〜１５時）」に充電し、第１の時間帯（７時〜２３時）のその他の時間帯に放電する充放電スケジュールを決定する。
【００５０】
そして、決定部１３は、電力消費依頼で示される「消費する時間帯（１１時〜１５時）」の開始タイミング（１１時）で、蓄電システム２０に少なくともＡ［ｋＷｈ］の空きを確保させる充放電スケジュールを決定する。
【００５１】
具体的には、Ａ＞ｄ２の場合には、第１の時間帯（７時〜２３時）の開始タイミング（１１時）で蓄電システム２０に少なくともＡ−ｄ２［ｋＷｈ］の空きを確保させる充放電スケジュールを決定する。この場合、当該空きを確保するように、第２の時間帯（２３時〜７時）の充電処理が調整されることとなる。
【００５２】
一方、ｄ２≧Ａの場合には、第１の時間帯（７時〜２３時）の開始タイミング（１１時）で蓄電システム２０に好ましくは上限まで充電させる充放電スケジュールを決定する。
【００５３】
＜処理例２＞
図６及び図７を用いて、処理例２を説明する。ここでは、発電事業者の電力販売価格Ｐが、第１の時間帯（７時〜２３時）における電力販売価格Ｑ１よりは安いが、第２の時間帯（２３時〜７時）における電力販売価格Ｑ２よりも高い場合を想定している。そして、第１の時間帯（７時〜２３時）の需要が第２の時間帯（２３時〜７時）に蓄電システム２０に充電した電力を超えた際に、電力消費依頼で示される「消費する時間帯（１１時〜１５時）」に蓄電システム２０に充電させる場合等を示している。なお、図６及び図７において示す各時間帯の開始時刻及び終了時刻はあくまで一例であり、これに限定されない。
【００５４】
当該例でも、決定部１３は、前提として、第２の時間帯（２３時〜７時）に蓄電システム２０に電力を充電し、第１の時間帯（７時〜２３時）に蓄電システム２０から電力を放電して消費する充放電スケジュールを決定する。そして、条件２（又は条件２´）を満たす電力需要家においては、必要に応じて、第１の時間帯（７時〜２３時）であるが、電力消費依頼で示される「消費する時間帯（１１時〜１５時）」に充電する充放電スケジュールを決定する。
【００５５】
図６には、電力消費依頼に応じて電力を消費すべき日のタイムスケジュールを示している。ここでは、電力消費依頼で示される「消費する時間帯」を、１１時〜１５時としている。図示する「通常の電力販売価格」及び「需要予測」は、図５の例と同様である。
【００５６】
決定部１３は、「条件２：Ｑ１＞Ｐ≧Ｑ２、かつ、Ｄ＞Ｃ」を満たす電力需要家を、電力消費依頼に応じて電力を消費させる電力需要家として決定することができる。
【００５７】
なお、需要家情報取得部１１は、需要家情報として、Ｑ１との価格差Ｒ２（Ｒ２≧０）を指定した参加条件を電力需要家毎に取得してもよい。そして、決定部１３は、「条件２´：Ｑ１−Ｒ２＞Ｐ≧Ｑ２、かつ、Ｄ＞Ｃ」を満たす電力需要家を、電力消費依頼に応じて電力を消費させる電力需要家として決定してもよい。
【００５８】
条件２（又は条件２´）を満たす場合、すなわち、発電事業者から購入するよりも、電力小売事業者から第１の時間帯（７時〜２３時）に購入した方が高いが、電力小売事業者から第２の時間帯（２３時〜７時）に購入した方が安い場合には、電力需要家の利益を考慮すると、Ｄ＞Ｃの条件が重要となる。
【００５９】
Ｄ＞Ｃの場合、すなわち、第１の時間帯（７時〜２３時）の需要予測の方が蓄電システム２０の定格容量よりも大きい場合には、第１の時間帯（７時〜２３時）の需要を、第２の時間帯（２３時〜７時）に蓄電システム２０に充電した電力でまかなえない。電力小売事業者から第１の時間帯（７時〜２３時）に購入するよりも発電事業者から購入した方が安いので、当該条件を満たす電力需要家は、電力消費依頼に応じて電力を消費させる電力需要家として決定する。
【００６０】
一方、Ｃ≧Ｄの場合、すなわち、第１の時間帯（７時〜２３時）の需要予測の方が蓄電システム２０の定格容量よりも小さい場合には、第１の時間帯（７時〜２３時）の需要を、第２の時間帯（２３時〜７時）に蓄電システム２０に充電した電力でまかなえる。そこで、当該条件を満たす電力需要家は、電力消費依頼に応じて電力を消費させる電力需要家として決定しない。
【００６１】
条件２（又は条件２´）を満たす場合には、電力需要家の利益を考慮すると、第１の時間帯（７時〜２３時）の需要を第２の時間帯（２３時〜７時）に蓄電システム２０に充電した電力でまかなえない分だけ、電力消費依頼で示される「消費する時間帯（１１時〜１５時）」に蓄電システム２０に充電させるのが好ましい。
【００６２】
すなわち、第１の時間帯（７時〜２３時）の終了タイミング（２３時）で、できるだけ蓄電システム２０の空きを大きくするのが好ましい。それゆえ、電力消費依頼で示される「消費する時間帯（１１時〜１５時）」の終了タイミング（１５時）で、蓄電システム２０の充電電力量をｄ３及びＣの小さい方とするのが好ましい。このようにすれば、第１の時間帯（７時〜２３時）の終了タイミング（２３時）で、蓄電システム２０の充電電力量を０にすることができる。なお、Ｑ２が最も安いので、第１の時間帯（７時〜２３時）の開始タイミング（７時）では上限まで蓄電システム２０に充電させるのが好ましい。また、第１の時間帯（７時〜２３時）に単価Ｑ１で電力を購入する量を最小にするのが好ましい。
【００６３】
以上より、決定部１３は、図７に示すように蓄電システム２０の充放電スケジュールを決定する。
【００６４】
まず、第１の時間帯（７時〜２３時）の開始タイミング（７時）において、蓄電システム２０に上限（ＳＯＣ＝１００％）まで充電させる充放電スケジュールを決定する。
【００６５】
かかる場合、電力消費依頼で示される「消費する時間帯（１１時〜１５時）」の開始タイミング（１１時）における蓄電システム２０の充電電力量Ｍ［ｋＷＨ］は、Ｃ＞ｄ２の場合にはＣ−ｄ２［ｋＷｈ］となり、ｄ２≧Ｃの場合には０となる。
【００６６】
Ｍ＝０、つまり「消費する時間帯（１１時〜１５時）」が開始されるまでに充電電力量をすべて消費している場合、決定部１３は、条件２又は条件２´を満たす電力需要家の蓄電システム２０に、ｄ３、Ｓ、及び、Ｘの中の最も小さい電力量を、電力消費依頼で示される「消費する時間帯（１１時〜１５時）」に充電させる充放電スケジュールを決定することができる。
【００６７】
ｄ３［ｋＷｈ］は、電力消費依頼で示される「消費する時間帯（１１時〜１５時）」の終了タイミング（１５時）から第１の時間帯（７時〜２３時）の終了タイミング（２３時）までの時間帯における需要電力量［ｋＷｈ］の予測を示す。Ｓ［ｋＷｈ］は、電力需要家からアグリゲータのサービス用に提供された蓄電システム２０の容量である。Ｘ［ｋＷｈ］は、蓄電システム２０の定格出力［ｋＷ］と、電力消費依頼で示される「消費する時間帯（１１時〜１５時）」の時間幅（図５の例の場合、４時間）との積である。
【００６８】
蓄電システム２０の充放電スケジュールをこのように決定すると、第１の時間帯（７時〜２３時）における、Ｄを賄うために不要な、電力消費依頼に基づく買電量を抑えつつ、単価Ｑ１での買電量を最小化することができる。
【００６９】
そして、Ｍ＝０の場合、決定部１３は、ｄ１＋ｄ３、ｄ１＋Ｓ、及び、ｄ１＋Ｘの中の最も小さい電力量、又は、これに所定の係数を掛けた値を、電力消費依頼で示される「消費する時間帯（１１時〜１５時）」に、条件２又は条件２´を満たす電力需要家に消費させる電力として決定することができる。
【００７０】
Ｍ＝Ｃ−ｄ２（なお、Ｃ＞ｄ２）、かつ、Ｍ＞ｄ３の場合とは、「消費する時間帯（１１時〜１５時）」が始まる時刻において、需要家が持つ蓄電池はｄ３を賄える分の充電電力量を有しているものの、「消費する時間帯（１１時〜１５時）」における自家消費電力分を含めては、賄うことができない状況を示している。この時、「消費する時間帯（１１時〜１５時）」における自家消費ｄ１は、蓄電池からの放電と電力消費依頼に基づく買電によって供給することが望ましい。
【００７１】
具体的には、決定部１３は、条件２又は条件２´を満たす電力需要家の蓄電システム２０に、（Ｃ−ｄ２）−ｄ３を、電力消費依頼で示される「消費する時間帯（１１時〜１５時）」に放電させる充放電スケジュールを決定することができる。
【００７２】
蓄電システム２０の充放電スケジュールをこのように決定すると、第１の時間帯（７時〜２３時）における、Ｄを賄うために不要な、電力消費依頼に基づく買電量を抑えつつ、単価Ｑ１での買電量を最小化することができる。
【００７３】
そして、Ｍ＝Ｃ−ｄ２（なお、Ｃ＞ｄ２）、かつ、Ｍ＞ｄ３の場合、決定部１３は、ｄ１−（（Ｃ−ｄ２）−ｄ３）、すなわち、Ｄ−Ｃ、又は、これに所定の係数を掛けた値を、電力消費依頼で示される「消費する時間帯（１１時〜１５時）」に、条件２又は条件２´を満たす電力需要家に消費させる電力として決定することができる。ｄ１−（（Ｃ−ｄ２）−ｄ３）は、電力消費依頼で示される「消費する時間帯（１１時〜１５時）」における電力需要家の需要予測から、当該時間帯に蓄電システム２０から放電させる電力量を引いたものである。
【００７４】
Ｍ＝Ｃ−ｄ２（なお、Ｃ＞ｄ２）、かつ、ｄ３≧Ｍの場合、すなわち「消費する時間帯（１１時〜１５時）」の開始タイミングにおける充電電力量ではｄ３を賄いきれない場合、ｄ３のうちＭで賄いきれない分を充電する電力量として決定することが望ましい。そのために、決定部１３は、条件２又は条件２´を満たす電力需要家の蓄電システム２０に、ｄ３−（Ｃ−ｄ２）、ｄ２、及び、Ｘの中の最も小さい電力量を、電力消費依頼で示される「消費する時間帯（１１時〜１５時）」に充電させる充放電スケジュールを決定することができる。なお、上記充放電スケジュールで蓄電システム２０に充電しても、蓄電システム２０の充電電力量でｄ３を賄いきれない場合、１５〜２３時の間において電力系統からの電力により負荷などの電力消費を行う。
【００７５】
ｄ３−（Ｃ−ｄ２）［ｋＷｈ］は、ｄ３−Ｍ［ｋＷｈ］と同じである。すなわち、電力消費依頼で示される「消費する時間帯（１１時〜１５時）」の終了タイミング（１５時）から第１の時間帯（７時〜２３時）の終了タイミング（２３時）までの時間帯における需要電力量［ｋＷｈ］の予測から、電力消費依頼で示される「消費する時間帯（１１時〜１５時）」の開始タイミング（１１時）における蓄電システム２０の充電電力量Ｍを引いたものである。
【００７６】
ｄ２［ｋＷｈ］は、第１の時間帯（７時〜２３時）の開始タイミング（７時）から電力消費依頼で示される「消費する時間帯（１１時〜１５時）」の開始タイミング（１１時）までの時間帯における需要電力量［ｋＷｈ］の予測を示す。第１の時間帯（７時〜２３時）の開始タイミング（７時）では上限まで蓄電システム２０に充電させるので、Ｃ＞ｄ２の場合、ｄ２は、電力消費依頼で示される「消費する時間帯（１１時〜１５時）」の開始タイミング（１１時）における蓄電システム２０の空き容量となる。
【００７７】
Ｘ［ｋＷｈ］は、蓄電システム２０の定格出力［ｋＷ］と、電力消費依頼で示される「消費する時間帯（１１時〜１５時）」の時間幅（図５の例の場合、４時間）との積である。
【００７８】
そして、Ｍ＝Ｃ−ｄ２（なお、Ｃ＞ｄ２）、かつ、ｄ３≧Ｍの場合、決定部１３は、Ｄ−Ｃ、ｄ１＋ｄ２、及び、ｄ１＋Ｘの中の最も小さい電力量、又は、これに所定の係数を掛けた値を、条件２又は条件２´を満たす電力需要家に消費させる電力として決定することができる。
【００７９】
＜処理例３＞
決定部１３は、条件１（又は条件１´）を満たす電力需要家、及び、条件２（又は条件２´）を満たす電力需要家の両方を、電力消費依頼に応じて電力を消費させる電力需要家として決定してもよい。消費させる電力量や蓄電システム２０の充放電スケジュールの決定手法は、処理例１及び２と同様である。
【００８０】
ここで、決定部１３は、電力消費依頼に応じて電力需要家に消費させると決定した電力量の合計が、電力消費依頼で指定された電力量に満たない場合、その旨を、電力消費依頼の送信元（発電事業者）に、電子メール等で通知してもよい。かかる場合、決定部１３は、電力消費依頼で指定された電力量に足りない分［ｋＷｈ］や、指定された電力販売価格Ｐで消費できる分［ｋＷｈ］を発電事業者に通知してもよい。また、決定部１３は、新たな電力販売価格Ｐを発電事業者に要求してもよい。
【００８１】
その他、決定部１３は、電力消費依頼に応じて電力需要家に消費させると決定した電力量の合計が、電力消費依頼で指定された電力量に満たない場合、電力消費依頼で指定された電力量を超える電力販売価格Ｐを算出し、送信元に通知してもよい。例えば、決定部１３は、電力消費依頼で指定された電力量を超える電力販売価格Ｐの中の最大の値を算出し、送信元に通知してもよい。算出方法は、例えば、電力販売価格Ｐの値を変えながら、各々に対応して上記処理例１乃至３のいずれかでシミュレーションを行うことで算出できる。
【００８２】
その他、決定部１３は、電力消費依頼に応じて電力需要家に消費させると決定した電力量の合計が、電力消費依頼で指定された電力量を超える場合、電力消費依頼で指定された電力量を、電力消費依頼に応じて電力を消費させると決定した複数の電力需要家に割り振ることができる。例えば、決定部１３は、電力消費依頼で指定された電力量（ｋＷｈ）を、各電力需要家に対応して決定した「電力消費依頼に応じて消費させる電力量（ｋＷｈ）の値」の比に基づき按分してもよい。
【００８３】
なお、上記割り振りにより、各電力需要家に電力消費依頼に応じて消費させる電力量（ｋＷｈ）の値が、上記処理例１乃至３の方法で決定した値よりも小さくなった場合、蓄電システム２０に充電させる電力量をその分減らすように蓄電システム２０の充放電スケジュールを調整してもよい。
【００８４】
次に、図８のフローチャートを用いて、電力管理装置１０の処理の流れの一例を説明する。
【００８５】
まず、依頼取得部１２は、消費する電力量、消費する時間帯及び電力販売価格Ｐを指定した電力消費依頼を取得する（Ｓ１０）。
【００８６】
次に、決定部１３は、Ｓ１０で取得された電力消費依頼に基づき、電力消費依頼に応じて電力を消費させる電力需要家、各電力需要家に消費させる電力量、及び、各電力需要家の蓄電システム２０の充放電スケジュールを決定する（Ｓ２０）。
【００８７】
そして、決定部１３は、決定した制御内容を各電力需要家に通知する（Ｓ３０）。例えば、決定部１３は、メール等で、決定した制御内容を各電力需要家に通知してもよい。その他、決定部１３は、決定した蓄電システム２０の充放電スケジュールを、各電力需要家の蓄電システム２０に通知してもよい。蓄電システム２０は、通知された充放電スケジュールに従い、充放電動作を行う。
【００８８】
次に、本実施形態の作用効果を説明する。本実施形態の電力管理装置１０によれば、電力販売価格Ｐを含む電力消費依頼、電力需要家に電力を販売する電力小売事業者の電力販売価格Ｑ、電力需要家各々の電力需要予測、及び、電力需要家各々の蓄電システム２０の仕様情報に基づき、電力消費依頼に応じて電力を消費させる電力需要家、各電力需要家に消費させる電力量、及び、各電力需要家の蓄電システムの充放電スケジュールを含む電力需要家の制御内容を決定することができる。
【００８９】
すなわち、電力販売価格Ｐと電力販売価格Ｑとの大小関係や、需要予測と蓄電システム２０の定格容量との関係等に基づき、電力需要家に最大限の利益をもたらすように、上記制御内容を決定することができる。
【００９０】
このように、電力需要家の利益を考慮して電力需要家の制御内容を決定できる電力管理装置１０によれば、アグリゲータと契約してサービスを受ける電力需要家の数を増やすことができる。結果、アグリゲータは、当該サービスを円滑に運用することが可能となる。
【００９１】
また、本実施形態の電力管理装置１０は、電力消費依頼で指定された電力販売価格Ｐでは電力消費依頼で指定された電力量を消費できない場合、その旨を発電事業者に通知することができる。この時、電力管理装置１０は、電力消費依頼で指定された電力量に足りない分［ｋＷｈ］や、指定された電力販売価格Ｐで消費できる分［ｋＷｈ］や、新たな電力販売価格Ｐの要求等を通知できる。発電事業者は、当該通知に基づき、電力販売価格Ｐや発電計画の見直しなどを行うことができる。
【００９２】
また、本実施形態の電力管理装置１０は、電力消費依頼で指定された電力販売価格Ｐでは電力消費依頼で指定された電力量を消費できない場合、当該電力量を消費できる電力販売価格Ｐを算出し、通知することができる。発電事業者は、当該通知に基づき、容易に電力販売価格Ｐの見直し等を行うことができる。
【００９３】
以下、参考形態の例を付記する。
１．  消費する電力量、消費する時間帯及び電力販売価格Ｐを指定した電力消費依頼を取得する依頼取得手段と、
複数の電力需要家各々に電力を販売する電力小売事業者の時間帯毎の電力販売価格、及び、複数の電力需要家各々の蓄電システムの仕様情報を含む需要家情報を取得する需要家情報取得手段と、
前記需要家情報及び前記電力消費依頼に基づき、各電力需要家の蓄電システムの充放電スケジュールを決定する決定手段と、
を有する電力管理装置。
２．  １に記載の電力管理装置において、
前記需要家情報取得手段は、前記時間帯毎の電力販売価格として、第１の時間帯の電力販売価格Ｑ１及び第２の時間帯の電力販売価格Ｑ２を取得し、Ｑ１＞Ｑ２であり、
前記決定手段は、「条件１：Ｑ２＞Ｐ」を満たす電力需要家を、前記電力消費依頼に応じて電力を消費させる電力需要家として決定する電力管理装置。
３．  ２に記載の電力管理装置において、
前記需要家情報取得手段は、Ｑ２との価格差Ｒ１（Ｒ１≧０）を指定した参加条件を電力需要家毎に取得し、
前記決定手段は、「条件１´：Ｑ２−Ｒ１＞Ｐ」を満たす電力需要家を、前記電力消費依頼に応じて電力を消費させる電力需要家として決定する電力管理装置。
４．  ２又は３に記載の電力管理装置において、
蓄電システムの定格出力と、前記電力消費依頼で指定された時間帯の時間幅との積をＸ、電力需要家から提供された蓄電システムの容量をＳとすると、
前記決定手段は、前記条件１又は条件１´を満たす電力需要家の蓄電システムに充電させる電力量Ａとして、Ｓ及びＸの小さい方を決定する電力管理装置。
５．  ４に記載の電力管理装置において、
前記電力消費依頼で指定された時間帯における電力需要家の需要電力量の予測をｄ１とすると、
前記決定手段は、前記条件１又は条件１´を満たす電力需要家に消費させる電力量として、Ａとｄ１との和を決定する電力管理装置。
６．  ４又は５に記載の電力管理装置において、
前記決定手段は、前記条件１又は条件１´を満たす電力需要家の蓄電システムの充放電スケジュールとして、前記電力消費依頼で指定された時間帯の開始タイミングまでに、少なくともＡを確保させる充放電スケジュールを決定する電力管理装置。
７．  ６に記載の電力管理装置において、
前記電力消費依頼で指定された時間帯は前記第１の時間帯に含まれ、
前記第１の時間帯の開始タイミングから前記電力消費依頼で指定された時間帯の開始タイミングまでにおける電力需要家の需要電力量の予測をｄ２とすると、
前記決定手段は、前記条件１又は条件１´を満たす電力需要家の蓄電システムの充放電スケジュールとして、
ｄ２≧Ａの場合、前記第１の時間帯の開始タイミングにおいて蓄電システムに上限まで充電させ、
Ａ＞ｄ２の場合、前記第１の時間帯の開始タイミングにおいて蓄電システムに少なくともＡ−ｄ２の空きを確保させる充放電スケジュールを決定する電力管理装置。
８．  １から７のいずれかに記載の電力管理装置において、
前記需要家情報取得手段は、前記時間帯毎の電力販売価格として、第１の時間帯の電力販売価格Ｑ１及び第２の時間帯の電力販売価格Ｑ２を取得し、Ｑ１＞Ｑ２であり、
蓄電システムの定格容量をＣ、前記第１の時間帯における電力需要家の需要電力量の予測をＤとすると、
前記決定手段は、「条件２：Ｑ１＞Ｐ≧Ｑ２、かつ、Ｄ＞Ｃ」を満たす電力需要家を、前記電力消費依頼に応じて電力を消費させる電力需要家として決定する電力管理装置。
９．  ８に記載の電力管理装置において、
前記需要家情報取得手段は、Ｑ１との価格差Ｒ２（Ｒ２≧０）を指定した参加条件を電力需要家毎に取得し、
前記決定手段は、「条件２´：Ｑ１−Ｒ２＞Ｐ≧Ｑ２、かつ、Ｄ＞Ｃ」を満たす電力需要家を、前記電力消費依頼に応じて電力を消費させる電力需要家として決定する電力管理装置。
１０．  ８又は９に記載の電力管理装置において、
前記電力消費依頼で指定された時間帯は前記第１の時間帯に含まれ、
前記電力消費依頼で指定された時間帯における電力需要家の需要電力量の予測をｄ１、
前記第１の時間帯の開始タイミングから前記電力消費依頼で指定された時間帯の開始タイミングまでにおける電力需要家の需要電力量の予測をｄ２、
前記電力消費依頼で指定された時間帯の終了タイミングから前記第１の時間帯の終了タイミングまでにおける電力需要家の需要電力量の予測をｄ３、
前記電力消費依頼で指定された時間帯の開始タイミングにおける蓄電システムの充電電力量をＭ、
蓄電システムの定格出力と、前記電力消費依頼で指定された時間帯の時間幅との積をＸ、
電力需要家から提供された蓄電システムの容量をＳ、
とすると、
前記決定手段は、
前記第１の時間帯の開始タイミングにおいて、蓄電システムに上限まで充電させる充放電スケジュールを決定し、
Ｍ＝０の場合、ｄ１＋ｄ３、ｄ１＋Ｓ、及び、ｄ１＋Ｘの中の最も小さい電力量を、
Ｍ＝Ｃ−ｄ２（なお、Ｃ＞ｄ２）、かつ、Ｍ＞ｄ３の場合、Ｄ−Ｃを、
Ｍ＝Ｃ−ｄ２（なお、Ｃ＞ｄ２）、かつ、ｄ３≧Ｍの場合、Ｄ−Ｃ、ｄ１＋ｄ２、及び、ｄ１＋Ｘの中の最も小さい電力量を、
前記条件２又は条件２´を満たす電力需要家に消費させる電力として決定する電力管理装置。
１１．  １０に記載の電力管理装置において、
前記決定手段は、
Ｍ＝０の場合、前記条件２又は条件２´を満たす電力需要家の蓄電システムに、ｄ３、Ｓ、及び、Ｘの中の最も小さい電力量を前記電力消費依頼で指定された時間帯に充電させる充放電スケジュールを決定する電力管理装置。
１２．  １０又は１１に記載の電力管理装置において、
前記決定手段は、
Ｍ＝Ｃ−ｄ２、かつ、Ｍ＞ｄ３の場合、前記条件２又は条件２´を満たす電力需要家の蓄電システムに、（Ｃ−ｄ２）−ｄ３を前記電力消費依頼で指定された時間帯に放電させる充放電スケジュールを決定する電力管理装置。
１３．  １０から１２のいずれかに記載の電力管理装置において、
前記決定手段は、
Ｍ＝Ｃ−ｄ２、かつ、ｄ３≧Ｍの場合、前記条件２又は条件２´を満たす電力需要家の蓄電システムに、ｄ３−（Ｃ−ｄ２）、ｄ２、及び、Ｘの中の最も小さい電力量を前記電力消費依頼で指定された時間帯に充電させる充放電スケジュールを決定する電力管理装置。
１４．  １０から１３のいずれかに記載の電力管理装置において、
前記決定手段は、前記条件２又は条件２´を満たす電力需要家の蓄電システムの充放電スケジュールとして、前記電力消費依頼で指定された時間帯の終了タイミングで前記蓄電システムの充電電力量をＣ及びｄ３の小さい方とする充放電スケジュールを決定する電力管理装置。
１５．  １から１４のいずれかに記載の電力管理装置において、
前記決定手段は、前記電力消費依頼に応じて電力需要家に消費させると決定した電力量の合計が、前記電力消費依頼で指定された電力量に満たない場合、その旨を、前記電力消費依頼の送信元に通知する電力管理装置。
１６．  １５に記載の電力管理装置において、
前記決定手段は、前記電力消費依頼に応じて電力需要家に消費させると決定した電力量の合計が、前記電力消費依頼で指定された電力量に満たない場合、新たな電力販売価格Ｐを前記送信元に要求する電力管理装置。
１７．  １５又は１６に記載の電力管理装置において、
前記決定手段は、前記電力消費依頼に応じて電力需要家に消費させると決定した電力量の合計が、前記電力消費依頼で指定された電力量に満たない場合、前記電力消費依頼で指定された電力量を超える電力販売価格Ｐを算出し、前記送信元に通知する電力管理装置。
１８．  １から１７のいずれかに記載の電力管理装置と、
前記電力管理装置からの指示に基づき動作する蓄電システムと、
を有する電力管理システム。
１９．  コンピュータが、
消費する電力量、消費する時間帯及び電力販売価格Ｐを指定した電力消費依頼を取得する依頼取得工程と、
複数の電力需要家各々に電力を販売する電力小売事業者の時間帯毎の電力販売価格、及び、複数の電力需要家各々の蓄電システムの仕様情報を含む需要家情報を取得する需要家情報取得工程と、
前記需要家情報及び前記電力消費依頼に基づき、各電力需要家の蓄電システムの充放電スケジュールを決定する決定工程と、
を実行する電力管理方法。
２０．  コンピュータを、
消費する電力量、消費する時間帯及び電力販売価格Ｐを指定した電力消費依頼を取得する依頼取得手段、
複数の電力需要家各々に電力を販売する電力小売事業者の時間帯毎の電力販売価格、及び、複数の電力需要家各々の蓄電システムの仕様情報を含む需要家情報を取得する需要家情報取得手段、
前記需要家情報及び前記電力消費依頼に基づき、各電力需要家の蓄電システムの充放電スケジュールを決定する決定手段、
として機能させるプログラム。
【００９４】
この出願は、２０１６年１２月５日に出願された日本出願特願２０１６−２３５８４９号を基礎とする優先権を主張し、その開示の全てをここに取り込む。
【図１】
2018105154.tif 000003
【図２】
2018105154.tif 000004
【図３】
2018105154.tif 000005
【図４】
2018105154.tif 000006
【図５】
2018105154.tif 000007
【図６】
2018105154.tif 000008
【図７】
2018105154.tif 000009
【図８】
2018105154.tif 000010
【国際調査報告】
2018105154.tif 000011
2018105154.tif 000012